(57)【特許請求の範囲】
【請求項１】
矩形状の底壁から起立する側壁が互いに対向する１対の第１側壁と１対の第２側壁とからなり、前記１対の第１側壁が折り畳まれてから、残りの１対の第２側壁が折り畳まれることで、箱状をなす組立状態から平板状をなす折畳状態となる折り畳み容器において、
前記第１側壁の両側部には、前記第１側壁から厚み方向に突出して前記組立状態で前記第１側壁よりも前記折り畳み容器の内側に配置され、且つ、少なくとも前記第１側壁の上端寄り位置から下端寄り位置に亘って上下方向に延在する突条リブが設けられ、
前記第１側壁は、前記組立状態において前記１対の第２側壁の対向方向に沿って延在する平行壁部と、前記組立状態において前記１対の第１側壁の対向方向に沿って延在する垂直壁部と、を組み合わせて形成され、
前記突条リブは、前記第１側壁の両側部の端縁に配置された前記垂直壁部と同一直線上に配置されている、折り畳み容器。
【請求項２】
前記組立状態における前記折り畳み容器のコーナー部の内側を向く面には、角アール部又は平面状のＣ面取り部が設けられ、
前記突条リブは、前記組立状態の前記折り畳み容器を上下方向から見たときに、前記角アール部を円弧とする扇形領域又は前記折り畳み容器内に位置して前記Ｃ面取り部を斜辺とする直角三角形状の三角領域に重ねて配置される請求項１に記載の折り畳み容器。
【請求項３】
前記折畳状態で前記突条リブに重ねられる部分、又は、前記折畳状態の前記折り畳み容器を上下に段積みしたときに下側の前記折り畳み容器の前記突条リブに重ねられる部分には、前記突条リブとの干渉を避けるための干渉防止凹部が形成され、
前記垂直壁部には、前記突条リブと同一直線上に配置される前記垂直壁部とは別の垂直壁部が含まれ、
前記干渉防止凹部は、前記別の垂直壁部を、前記組立状態において前記突条リブと同一直線上に配置される前記垂直壁部よりも外側に突出させることによって形成されている、請求項１又は２に記載の折り畳み容器。
【請求項４】
前記第１側壁は、前記折り畳み容器の上部開口を形成する上部フレームに回動可能に支持された跳ね上げ側壁であって、
前記底壁の下面には、該下面の外縁部から突出した包囲壁と、前記包囲壁の内側に配置された複数のリブと、が設けられ、
前記底壁の下面からの前記包囲壁の突出量を、前記底壁の下面からの前記複数のリブの突出量より小さくすることで、前記底壁の下方に、前記折り畳み容器が前記折畳状態で段積みされたときの下側の前記折り畳み容器の前記突条リブを受容可能なスペースを形成する、請求項１乃至３のうち何れか１項に記載の折り畳み容器。
【請求項５】
前記第１側壁は、前記折り畳み容器の上部開口を形成する上部フレームに回動可能に支持された跳ね上げ側壁であって、
前記上部フレームには、前記上部開口を開閉する蓋が取り付けられると共に、前記蓋の下面の外縁部には、包囲リブが突出形成され、
前記包囲リブには、前記折畳状態になったときに前記第１側壁の前記突条リブとの干渉を避けるための切欠部が設けられている、請求項１乃至３のうち何れか１項に記載の折り畳み容器。
【発明の詳細な説明】
【技術分野】
【０００１】
本発明は、底壁から起立する側壁が折り畳まれることで、箱状をなす組立状態から平板状の折畳状態となる折り畳み容器に関する。
【背景技術】
【０００２】
従来、この種の折り畳み容器として、上部フレームに回動可能に連結された跳ね上げ側壁を折り畳んでから、上部フレームと底壁とに回動可能に連結されると折り曲げ側壁を内側に２つ折りにするものが知られている（例えば、特許文献１参照）。また、別の折り畳み容器として、底壁の短辺部に回動可能に連結された短辺側壁を内側に倒してから、底壁の長辺部に回動可能に連結された長辺側壁を内側に倒すものも知られている。
【先行技術文献】
【特許文献】
【０００３】
【特許文献１】特許第３４９１６４６号（段落［０００９］、図２）
【発明の概要】
【発明が解決しようとする課題】
【０００４】
しかしながら、上述した従来の折り畳み容器では、側壁に上方から負荷がかかったときに、側壁が変形するという問題があった。特に、折り畳み容器においては、側壁が底壁に回動可能に連結された構造になっているので、一体的に形成される箱型容器と比較して、側壁の変形は深刻な問題であった。
【０００５】
本発明は、上記事情に鑑みてなされたもので、側壁の変形を抑制することが可能な折り畳み容器の提供を目的とする。
【課題を解決するための手段】
【０００６】
上記目的を達成するためになされた請求項１の発明は、矩形状の底壁から起立する側壁のうち互いに対向する１対の第１側壁が折り畳まれてから、残りの１対の第２側壁が折り畳まれることで、箱状をなす組立状態から平板状をなす折畳状態となる折り畳み容器において、第１側壁の両側部には、第１側壁から厚み方向に突出して組立状態で第１側壁よりも折り畳み容器の内側に配置され、且つ、少なくとも第１側壁の上端寄り位置から下端寄り位置に亘って上下方向に延在する突条リブが設けられ、第１側壁は、組立状態において１対の第２側壁の対向方向に沿って延在する平行壁部と、組立状態において１対の第１側壁の対向方向に沿って延在する垂直壁部と、を組み合わせて形成され、突条リブは、第１側壁の両側部の端縁に配置された垂直壁部と同一直線上に配置されている、折り畳み容器である。
【０００７】
請求項２の発明は、前記組立状態における前記折り畳み容器のコーナー部の内側を向く面には、角アール部又は平面状のＣ面取り部が設けられ、前記突条リブは、前記組立状態の前記折り畳み容器を上下方向から見たときに、前記角アール部を円弧とする扇形領域又は前記折り畳み容器内に位置して前記Ｃ面取り部を斜辺とする直角三角形状の三角領域に重ねて配置される請求項１に記載の折り畳み容器である。
【０００８】
請求項３の発明は、前記折畳状態で前記突条リブに重ねられる部分、又は、前記折畳状態の前記折り畳み容器を上下に段積みされたときに下側の前記折り畳み容器の前記突条リブに重ねられる部分には、前記突条リブとの干渉を避けるための干渉防止凹部が形成され、垂直壁部には、突条リブと同一直線上に配置される垂直壁部とは別の垂直壁部が含まれ、干渉防止凹部は、別の垂直壁部を、組立状態において突条リブと同一直線上に配置される垂直壁部よりも外側に突出させることによって形成されている、請求項１又は２に記載の折り畳み容器である。
請求項４の発明は、第１側壁は、折り畳み容器の上部開口を形成する上部フレームに回動可能に支持された跳ね上げ側壁であって、底壁の下面には、該下面の外縁部から突出した包囲壁と、包囲壁の内側に配置された複数のリブと、が設けられ、底壁の下面からの包囲壁の突出量を、底壁の下面からの複数のリブの突出量より小さくすることで、底壁の下方に、折り畳み容器が折畳状態で段積みされたときの下側の折り畳み容器の突条リブを受容可能なスペースを形成する、請求項１乃至３のうち何れか１項に記載の折り畳み容器である。
請求項５の発明は、第１側壁は、折り畳み容器の上部開口を形成する上部フレームに回動可能に支持された跳ね上げ側壁であって、上部フレームには、上部開口を開閉する蓋が取り付けられると共に、蓋の下面の外縁部には、包囲リブが突出形成され、包囲リブには、折畳状態になったときに第１側壁の突条リブとの干渉を避けるための切欠部が設けられている、請求項１乃至３のうち何れか１項に記載の折り畳み容器である。
【発明の効果】
【０００９】
［請求項１の発明］
請求項１の発明によれば、組立状態で底壁から起立する１対の第１側壁の両側部に、折り畳み容器の内側に突出し且つ上下方向に延在する突条リブが設けられているので、第１側壁の厚みを稼ぐことが可能となり、第１側壁の変形を抑制することが可能になる。しかも、第１側壁は、折り畳み容器を折畳状態にするときに、第２側壁より先に折り畳まれるので、第１側壁が折り畳まれるときに突条リブが第２側壁と干渉することがなくなる。
【００１０】
［請求項２の発明］
請求項２の発明によれば、折り畳み容器へ収容物を収容し、又は、取り出す際に、突条リブが妨げになることが抑制可能となる。
【００１１】
［請求項３の発明］
請求項３の発明では、折り畳み容器を折畳状態にした場合又は折畳状態の折り畳み容器を段積みした場合に、突条リブと重なる部分に形成された干渉防止凹部によって突条リブとの干渉が避けられるので、折畳状態の折り畳み容器を高さ方向でコンパクトにすることが可能となる。
【図面の簡単な説明】
【００１２】
【図１】本発明の一実施形態に係る折り畳み容器の斜視図
【図２】回動蓋が開いた状態の折り畳み容器の斜視図
【図３】折畳状態の折り畳み容器の斜視図
【図４】折畳状態の折り畳み容器の一部破断斜視図
【図５】回動蓋を下方から見た斜視図
【図６】底壁を下方から見た斜視図
【図７】跳ね上げ側壁を外側から見た斜視図
【図８】跳ね上げ側壁を内側から見た斜視図
【図９】組立状態における折り畳み容器を内側から見た一部破断斜視図
【図１０】上側分割側壁を除いた折り畳み容器を跳ね上げ側壁の正面から見た図
【図１１】組立状態における跳ね上げ側壁及び折り曲げ側壁の平断面図
【図１２】（Ａ）折り畳み容器のコーナー部を上方から見た図、（Ｂ）突状リブ周辺を上方から見た図
【図１３】折畳状態の折り畳み容器の跳ね上げ側壁周辺の側断面図
【図１４】折畳状態で段積みされた折り畳み容器の一部破断斜視図
【図１５】折畳状態で段積みされた折り畳み容器の跳ね上げ側壁周辺の側断面図
【図１６】（Ａ）変形例に係る跳ね上げ側壁の平断面図、（Ｂ）変形例に係る跳ね上げ側壁の平断面図
【図１７】（Ａ）変形例に係る折り畳み容器のコーナー部を上方から見た図、（Ｂ）変形例に係る突状リブ周辺を上方から見た図
【発明を実施するための形態】
【００１３】
以下、本発明の一実施形態を図１〜図１５に基づいて説明する。本実施形態の折り畳み容器１０は、樹脂の成形品であって、図１に示すように、矩形板状の底壁１１と、底壁１１と略同じ大きさの矩形枠状をなす上部フレーム２０（図２参照）と、底壁１１と上部フレーム２０との間を連絡する側壁１０Ｓと、を備えている。側壁１０Ｓは、底壁１１の短辺部１１Ｂ，１１Ｂと上部フレーム２０の短辺部２０Ｂ，２０Ｂとの間を連絡する１対の跳ね上げ側壁３０，３０と、底壁１１の長辺部１１Ａ，１１Ａと上部フレーム２０の長辺部２０Ａ，２０Ａとの間を連絡する１対の折り曲げ側壁６０，６０と、からなる。折り畳み容器１０は、側壁１０Ｓが折り畳まれることで、図１に示す組立状態から、図３に示す折畳状態となる。なお、以下では、跳ね上げ側壁３０又は折り曲げ側壁６０の厚さ方向について、組立状態で折り畳み容器１０の外側を向く方向を、跳ね上げ側壁３０の外側又は折り曲げ側壁６０の外側と、組立状態で折り畳み容器１０の内側を向く方向を、跳ね上げ側壁３０の内側又は折り曲げ側壁６０の内側と、適宜、称することにする。
【００１４】
図４に示すように、上部フレーム２０は、天井壁２１の内縁部と外縁部とから内側対向壁２２と外側対向壁２３とが垂下した溝構造になっていて、外側対向壁２３は、内側対向壁２２より下方に延ばされている。図２に示すように、外側対向壁２３は、上部フレーム２０の周方向全体に亘って同じ高さになっている。また、上部フレーム２０の短辺部２０Ｂにおける内側対向壁２２の高さは、長辺部２０Ａの内側対向壁２２の高さよりも低くなっていて、短辺部２０Ｂにおける内側対向壁２２の下端は、長辺部２０Ａにおける内側対向壁２２の下端より上方に配置されている。
【００１５】
図１及び図２に示すように、上部フレーム２０における各長辺部２０Ａの上部には、回動蓋１５が回動可能に取り付けられている。具体的には、回動蓋１５に形成された回動突部１５Ｔが、上部フレーム２０の長辺部２０Ａにおける上面から突出した回動支持突部２５の間に配置されると共に、その回動支持突部２５に回動可能に連結されている。
【００１６】
図４に示すように、両回動蓋１５，１５のうち回動支点から離れた側の端部は、互いに半分ずつ上下方向で重なり合う構造になっている。具体的には、回動蓋１５のうち回動支点から離れた側の縁部は、その長手方向における半分が相手側の回動蓋１５に向かって突出した重合突片１５Ｂになっていて、残り半分が重合突片１５Ｂを受容可能な突片受容部１５Ａになっている。そして、各回動蓋１５の重合突片１５Ｂが相手側の回動蓋１５の突片受容部１５Ａに上方から重ねられて、両重合突片１５Ｂ，１５Ｂの上面が面一になる。
【００１７】
図３及び図５に示すように、回動蓋１５の上面には、外縁部を除く略全体に台形状の陥没部１６Ａが形成されると共に、回動蓋１５の下面には、陥没部１６Ａに対応した下面突部１６Ｔが形成されている。また、回動蓋１５の下面の外縁部には、下面突部１６Ｔを囲むように包囲リブ１７が突出形成されている。この包囲リブ１７は、回動蓋１５が図１に示す閉状態のときに上部フレーム２０の内側に配置される。また、包囲リブ１７のうち回動蓋１５の回動支点側の辺部には、回動蓋１５の下面からの突出高さが低くなる切欠部１８が形成されている。
【００１８】
図１及び図４に示すように、底壁１１は、矩形状のベース壁１２の外縁部から底部カバー壁１３が起立した構造になっている。ベース壁１２の下面には、下駄部１２Ａが突出形成されている。図６に示すように、下駄部１２Ａは、格子状に配置された複数のリブ１２Ｌを囲む内側包囲壁１２Ｈと、内側包囲壁１２Ｈを外側から囲む外側包囲壁１２Ｋと、を備えている。そして、内側包囲壁１２Ｈと外側包囲壁１２Ｋとの間が複数の連絡壁１２Ｔにて連絡されることで、内側包囲壁１２Ｈと外側包囲壁１２Ｋとの間の環状の空間が複数の部屋１２Ｒに区画されている。各部屋１２Ｒには、ベース壁１２の下面から突出して外側包囲壁１２Ｋに連絡する三角リブ１２Ｓが備えられている。詳細には、部屋１２Ｒは、ベース壁１２の内外方向が短手方向となった平面視矩形状をなし、三角リブ１２Ｓは、部屋１２Ｒの長手方向の中央部に配置されている。本実施形態によれば、部屋１２Ｒに三角リブ１２Ｓを備えたことで、底壁１１の補強を図りつつ、部屋１２Ｒ内に内側包囲壁１２Ｈと外側包囲壁１２Ｋとを連絡する連絡壁１２Ｔを追加して設ける場合と比較して、底壁１１の軽量化を図ることが可能となる。
【００１９】
図１に示すように、折り曲げ側壁６０は、上下方向の中央で上側分割側壁６１と下側分割側壁６５とに２分割されている。上側分割側壁６１は、全体が平板状の主板壁６２で構成されると共に、その主板壁６２の縁部を屈曲させる等して補強した構造になっている。上側分割側壁６１の上端部は、上部フレーム２０の各長辺部２０Ａ，２０Ａに回動可能に連結されている。具体的には、図２に示すように、上側分割側壁６１の上端部に備えた回動突部６１Ｔが、上部フレーム２０の長辺部２０Ａに形成された長辺支持突起２０ＡＴの間に配置されると共に、その長辺支持突起２０ＡＴに回動可能に連結されている。
【００２０】
また、下側分割側壁６５も上側分割側壁６１と同様の構成になっていて、下側分割側壁６５の下端部は、底壁１１の各長辺部１１Ａ，１１Ａに回動可能に連結されている。具体的には、図２に示すように、下側分割側壁６５の下端部に備えられた回動突部６５Ｔが、底壁１１の長辺部１１Ａに形成された長辺支持突部１１ＡＴの間に配置されると共に、その長辺支持突部１１ＡＴに回動可能に連結されている。
【００２１】
図１に示すように、上側分割側壁６１と下側分割側壁６５とは、複数のヒンジ部Ｈによって回動可能に連結されている。そして、図４に示すように、跳ね上げ側壁３０，３０を折り畳んだ状態で、各折り曲げ側壁６０が内側に２つ折りにされると、上側分割側壁６１と下側分割側壁６５の外面同士が重ね合わされると共に、上部フレーム２０と底壁１１とが互いに接近し、折り畳み容器１０が折畳状態になる。また、通常は、折り曲げ側壁６０，６０は、起立状態の跳ね上げ側壁３０，３０に当接して２つ折りが規制され、折り畳み容器１０が組立状態に保持されている。
【００２２】
図７〜図９に示すように、跳ね上げ側壁３０は、上側分割側壁６１と同様に、全体が平板状の主板壁３１で構成されると共に、その主板壁３１の縁部を屈曲させる等して補強した構造になっている。具体的には、跳ね上げ側壁３０の両側部には、主板壁３１の一部を内側に開放した溝形構造部３２にすることで、外側に突出したサイド土手部３４が形成されている。サイド土手部３４は、跳ね上げ側壁３０の幅方向の端縁より若干中央側に配置され、跳ね上げ側壁３０の幅方向の端縁からは、サイド突壁３３が外側に突出している。そして、サイド土手部３４とサイド突壁３３との間に、外側に開放したサイド係合凹部３５が形成されている。
【００２３】
詳細には、図９に示すように、跳ね上げ側壁３０の外側へのサイド突壁３３の突出高さは、サイド土手部３４の突出高さよりも小さくなっている。そして、サイド係合凹部３５は、溝形構造部３２の溝側壁３２Ａ，３２Ｂのうち跳ね上げ側壁３０の幅方向外側に位置する溝側壁３２Ｂの一部と、サイド突壁３３との間に形成されている。
【００２４】
図７に示すように、跳ね上げ側壁３０の下端部には、下端係合孔３７が形成されている。また、下端係合孔３７の両脇には、組立状態で折り畳み容器１０の内外方向に延び且つ跳ね上げ側壁３０の幅方向に弾性変形する１対の側壁係止爪３８，３８が備えられている。
【００２５】
跳ね上げ側壁３０の上端部には、複数の回動突部３０Ｔが形成されている。回動突部３０Ｔは、図２に示すように、上部フレーム２０の短辺部２０Ｂに形成された短辺支持突起２０ＢＴの間に配置されて回動可能に連結される。これにより、跳ね上げ側壁３０が上部フレーム２０の短辺部２０Ｂに回動可能に連結される。なお、上部フレーム２０において跳ね上げ側壁３０の回動中心は、上述した上側分割側壁６１の回動中心より上方に位置しており、跳ね上げ側壁３０は折畳状態になると折り曲げ側壁６０の上方に退避する。
【００２６】
折り畳み容器１０が組立状態（図１参照）のとき、跳ね上げ側壁３０の下端部は、底壁１１の底部カバー壁１３に内側から当接すると共に、跳ね上げ側壁３０の側縁部が、折り曲げ側壁６０の側縁部から跳ね上げ側壁３０側に直角曲げされた側部ストッパ壁６０Ｓ（図９参照）に内側から当接する。これにより、跳ね上げ側壁３０が底壁１１から直立した起立状態になる。
【００２７】
跳ね上げ側壁３０が起立状態になると、底壁１１の底部カバー壁１３（図１参照）から水平内側に突出した図示しない係合突部が下端係合孔３７（図７参照）と係合すると共に、その係合突部の両脇に備えられた図示しない１対の底壁係止爪が１対の側壁係止爪３８，３８（図７参照）と係止する。また、このとき、図９及び図１１に示すように、側部ストッパ壁６０Ｓから水平内側に突出した係止爪６０Ｋが、跳ね上げ側壁３０のサイド係合凹部３５に係止する。これにより、跳ね上げ側壁３０が起立状態に保持される。そして、跳ね上げ側壁３０の下端部を内側に押し込むように押圧又は殴打することで、跳ね上げ側壁３０と底壁１１の係止が解除されて跳ね上げ側壁３０が上部フレーム２０の下端部に収まった折畳状態になる。
【００２８】
ところで、本実施形態では、跳ね上げ側壁３０の強度アップを図るために、上述した溝形構造部３２及びサイド突壁３３に加えて、図８に示す突条リブ４１が設けられている。突条リブ４１は、跳ね上げ側壁３０の両側部から折り畳み容器１０の内側へ向かうように突出する。突条リブ４１は、跳ね上げ側壁３０の上端寄り位置から下端寄り位置に亘って上下方向に延在し、図１１に示すように、サイド突壁３３と同一直線上に配置されている。また、突条リブ４１の上端部と下端部とには、突条リブ４１の上下方向中央から離れるに従って突出高さが小さくなるテーパ部４２が形成されていて、このテーパ部４２により、突条リブ４１が折り畳み容器１０の収容物を傷付けることが抑えられている。
【００２９】
また、突条リブ４１は、上述の如く、跳ね上げ側壁３０の上端寄り位置から下端寄り位置に亘って延在し、上側分割側壁６１と下側分割側壁６５とに跨るように配置される。これにより、折り曲げ側壁６０，６０に外側から負荷がかかっても、その負荷を突条リブ４１で受け止めることが可能となり、折り曲げ側壁６０の変形や破損、或いは、折り曲げ側壁６０の変形に起因して折り曲げ側壁６０と底壁１１又は上部フレーム２０との係合や上側分割側壁６１と下側分割側壁６５との係合が外れることを抑制可能となる。
【００３０】
図１２（Ａ）には、組立状態の折り畳み容器１０のコーナー部１０Ｃを上方から見た様子が示されている。同図に示されるように、突状リブ４１は、上部フレーム２０よりも内側に突出する。ここで、上部フレーム２０のコーナー部２０Ｃは、Ｒ形状になっていて、そのＲ形状部分によって、コーナー部１０Ｃの内側を向く面に、角アール部２７が形成されている。そして、突状リブ４１は、図１２（Ｂ）に拡大して示すように、角アール部２７を円弧とする扇形領域Ｒ１に重ねて配置されている。なお、突状リブ４１を上方から見たとき、突状リブ４１のうち扇形領域Ｒ１内に配置される部分の面積は、扇形領域Ｒ１よりも折り畳み容器１０の内側に配置される部分の面積よりも大きくなっている。
【００３１】
ところで、図４に示されるように、折り畳み容器１０が折畳状態のとき、１対の跳ね上げ側壁３０，３０の下端部同士は、上下に重ねて配置される。ここで、下側の跳ね上げ側壁３０の突条リブ４１は、上方に向かって突出するように配置されるので、下側の跳ね上げ側壁３０の突条リブ４１が上側の跳ね上げ側壁３０と干渉すると、跳ね上げ側壁３０，３０同士が重なる部分が上下方向に嵩張るという問題が考えられる。しかしながら、本実施形態の折り畳み容器１０では、上述したように、跳ね上げ側壁３０の外側へのサイド突壁３３の突出高さは、サイド土手部３４の突出高さよりも小さくなっている（図１１参照）。従って、図１３に示すように、上側の跳ね上げ側壁３０には、サイド土手部３４の側方且つサイド突壁３３の下方に、下側の跳ね上げ側壁３０の突条リブ４１を受容可能な第１の干渉防止凹部５１が形成される。そして、この第１の干渉防止凹部５１によって、下側の跳ね上げ側壁３０の突条リブ４１と上側の跳ね上げ側壁３０との干渉を避けることが可能となる。
【００３２】
また、折り畳み容器１０が折畳状態のときには、上側の跳ね上げ側壁３０の突条リブ４１と回動蓋１５との干渉も問題となり得る。図１３に示す例では、回動蓋１５は、突条リブ４１との間に隙間を有して配置されているが、同図の例においても、回動蓋１５が上方から負荷を受けて撓む等したときには、突条リブ４１と回動蓋１５の干渉が問題となり得る。
【００３３】
ここで、本実施形態の折り畳み容器１０では、上述したように、回動蓋１５の下面に突出形成された包囲リブ１７に、包囲リブ１７の突出高さを低くする切欠部１８が形成されている（図５参照）。従って、回動蓋１５の包囲リブ１７のうち切欠部１８が形成された部分には、上側の跳ね上げ側壁３０の突条リブ４１を受容可能な第２の干渉防止凹部５２が形成され、この第２の干渉防止凹部５２によって、上側の跳ね上げ側壁３０の突条リブ４１と回動蓋１５との干渉を避けることが可能となる。
【００３４】
図１４には、折り畳み容器１０と、折り畳み容器１０を変形した折り畳み容器１０Ｖと、を折畳状態で段積みしたときの様子が示されている。折り畳み容器１０Ｖは、本発明の「折り畳み容器」の別の例として示されていて、回動蓋１５を有さず、上部フレーム２０Ｖに回動蓋１５との連結構造（例えば、図１で示した回動支持突部２５）を備えない点が折り畳み容器１０と異なっている。なお、折り畳み容器１０Ｖは、折り畳み容器１０と同様に、上述した底壁１１、折り曲げ側壁６０及び跳ね上げ側壁３０を有している。
【００３５】
折畳状態の折り畳み容器１０，１０Ｖが段積みされた状態では、折り畳み容器１０Ｖの上側の跳ね上げ側壁３０の突条リブ４１が、折り畳み容器１０の底壁１１の下駄部１２Ａと干渉するという問題が考えられる。ここで、図１５に示すように、下駄部１２Ａの外側包囲壁１２Ｋは、内側包囲壁１２Ｈよりもベース壁１２の下面からの突出量が小さくなっていて、連絡壁１２Ｔには、外側包囲壁１２Ｋ側で突出量が小さくなるテーパ部５３Ｔが形成されている。これにより、折り畳み容器１０の底壁１１には、下駄部１２Ａの下方に、折り畳み容器１０Ｖにおける上側の跳ね上げ側壁３０の突条リブ４１を受容可能な第３の干渉防止凹部５３が形成され、この第３の干渉防止凹部５３によって、折り畳み容器１０の底壁１１と折り畳み容器１０Ｖの突条リブ４１との干渉を避けることが可能となる。
【００３６】
本実施形態の折り畳み容器１０，１０Ｖの構成に関する説明は以上である。なお、本実施形態では、跳ね上げ側壁３０が本発明の「第１側壁」に相当し、折り曲げ側壁６０が本発明の「第２側壁」に相当する。また、第１〜第３の干渉防止凹部５１〜５３のそれぞれが、本発明の「干渉防止凹部」に相当する。
【００３７】
次に、折り畳み容器１０，１０Ｖの作用効果について説明する。本実施形態の折り畳み容器１０，１０Ｖによれば、組立状態で底壁１１から起立する１対の跳ね上げ側壁３０，３０の両側部に、折り畳み容器１０の内側に突出し且つ上下方向に延在する突条リブ４１が設けられているので、跳ね上げ側壁３０の厚みを稼ぐことが可能となり、跳ね上げ側壁３０の変形を抑制することが可能になる。しかも、跳ね上げ側壁３０は、折り畳み容器１０を折畳状態にするときに、折り曲げ側壁６０より先に折り畳まれるので、跳ね上げ側壁３０が折り畳まれるときに突条リブ４１が折り曲げ側壁６０と干渉することがなくなる。  
【００３８】
また、突条リブ４１は、コーナー部１０Ｃの内側を向く面に形成された角アール部２７を円弧とする扇形領域Ｒ１に重ねて配置されるので、折り畳み容器１０へ収容物を収容し、又は、取り出す際に、突条リブ４１が妨げになることが抑制可能となる。
【００３９】
また、突条リブ４１は、折り曲げ側壁６０の上側分割側壁６１と下側分割側壁６５とに跨るように配置されるので、折り曲げ側壁６０の外側から負荷がかかっても、その負荷を突状リブ４１で受け止めることが可能となり、折り曲げ側壁６０の変形や破損、或いは、折り曲げ側壁６０と底壁１１又は上部フレーム２０との係合が外れることが抑制される。
【００４０】
さらに、本実施形態では、折り畳み容器１０が折畳状態になると、上側の跳ね上げ側壁３０に形成される第１の干渉防止凹部５１に、下側の跳ね上げ側壁３０の突条リブ４１が受容される。また、回動蓋１５に形成される第２の干渉防止凹部５２に、上側の跳ね上げ側壁３０の突条リブ４１を受容可能となる。これらにより、突条リブ４１と、その突条リブ４１に重ねられる跳ね上げ側壁３０や回動蓋１５との干渉を避けることが可能となり、折畳状態の折り畳み容器１０を高さ方向でコンパクトにすることが可能となる。また、折畳状態の折り畳み容器１０，１０Ｖを段積みした場合には、折り畳み容器１０の底壁１１に形成される第３の干渉防止凹部５３に、折り畳み容器１０Ｖの上側の跳ね上げ側壁３０の突条リブ４１を受容可能となるので、折り畳み容器１０Ｖの突条リブ４１と、折り畳み容器１０の底壁１１との干渉を避けることが可能となり、段積み状態の折り畳み容器１０，１０Ｖを高さ方向でコンパクトにすることが可能となる。
【００４１】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４２】
（１）上記実施形態では、本発明を、側壁１０Ｓが跳ね上げ側壁３０と折り曲げ側壁６０とからなる折り畳み容器１０に適用した例を示したが、側壁１０Ｓが、底壁１１の短辺部１１Ｂに回動可能に連結された短辺側壁と、長辺部１１Ａに回動可能に連結された長辺側壁とからなる内倒れタイプの折り畳み容器に適用してもよい。本構成では、最初に折り畳まれる短辺側壁に突状リブが設けられることになる。なお、本構成の折り畳み容器は、上部フレーム２０を有さない。
【００４３】
（２）上記実施形態では、突条リブ４１が、上下の両端部にテーパ部４２を備える構成であったが、上端部又は下端部にのみ備える構成であってもよい。また、突条リブ４１は、テーパ部４２を備えない構成であってもよい。
【００４４】
（３）上記実施形態において、図１６（Ａ）に示すように、溝形構造部３２（サイド土手部３４）を跳ね上げ側壁３０の幅方向の端縁に配置し、溝側壁３２Ｂの一部を内側に延長して突条リブ４１を形成してもよい。また、その際、図１６（Ｂ）に示すように、溝形構造部３２を複数備え、幅方向で一番外側の溝形構造部３２について、上記構成を適用してもよい。
【００４６】
（４）上記実施形態では、突条リブ４１は、跳ね上げ側壁３０の両側部に１つずつ備えられていたが、複数ずつ備えられてもよい。
【００４７】
（５）上記実施形態において、角アール部２７の代わりに、図１７（Ａ）に示すＣ面取り部１２７が形成されている場合には、突条リブ４１が以下のように配置されてもよい。即ち、図１７（Ｂ）に拡大して示すように、突条リブ４１は、組立状態の折り畳み容器１０を上下方向から見たときに、折り畳み容器１０の内側に位置してＣ面取り部１２７を斜辺とし且つ跳ね上げ側壁３０と折り曲げ側壁６０とに平行な２辺（即ち、本発明の第１側壁と第２側壁とに平行な２辺）を有する直角三角形状の三角領域Ｒ２に重ねて配置される。なお、突状リブ４１のうち三角領域Ｒ２内に配置される部分の面積は、三角領域Ｒ２よりも折り畳み容器１０の内側に配置される部分の面積よりも大きくなっている。本構成においても、折り畳み容器１０へ収容物を収容し、又は、取り出す際に、突条リブ４１が妨げになることが抑制可能となる。
【００４８】
（６）上記実施形態では、角アール部２７は、上部フレーム２０に形成されていたが、側壁１０Ｓや底壁１１に形成されてもよい。なお、角アール部２７が底壁１１に形成される例としては、底壁１１の長辺部１１Ａと短辺部１１Ｂとに、上方へ突出する長辺土手部と短辺土手部とが設けられ、底壁１１の隅部において長辺土手部と短辺土手部が交差する部分に角アール部２７が形成される場合が挙げられる。また、上記（５）で説明したＣ面取り部１２７が、底壁１１や側壁１０Ｓに形成されてもよい。
【符号の説明】
【００４９】
１０，１０Ｖ    折り畳み容器
１１    底壁
２０，２０Ｖ    上部フレーム
２７    角アール部
３０    跳ね上げ側壁（第１側壁）
４１    突状リブ
５１    第１の干渉防止凹部（干渉防止凹部）
５２    第２の干渉防止凹部（干渉防止凹部）
５３    第３の干渉防止凹部（干渉防止凹部）
６０    折り曲げ側壁（第２側壁）
１２７    Ｃ面取り部
Ｒ１    扇形領域
Ｒ２    三角領域
【図１】
0006537333.tif 000002
【図２】
0006537333.tif 000003
【図３】
0006537333.tif 000004
【図４】
0006537333.tif 000005
【図５】
0006537333.tif 000006
【図６】
0006537333.tif 000007
【図７】
0006537333.tif 000008
【図８】
0006537333.tif 000009
【図９】
0006537333.tif 000010
【図１０】
0006537333.tif 000011
【図１１】
0006537333.tif 000012
【図１２】
0006537333.tif 000013
【図１３】
0006537333.tif 000014
【図１４】
0006537333.tif 000015
【図１５】
0006537333.tif 000016
【図１６】
0006537333.tif 000017
【図１７】
0006537333.tif 000018